(57)【要約】【課題】オートロック機構部の部品点数を減らし、構造を簡略化して装置全体の製作コストを節減する。【解決手段】操作ハンドルの下端部に錠前埋設部とガイド溝孔を直交させて形成し、ラッチ体の上端部にケース本体の背面壁部のロック溝部に係脱するロック爪部を形成し、ラッチ体の下端部にラッチ体のバネ支持部を形成し、錠前ユニットのロータの後端部に駆動カム突起を形成し、ラッチ体の中間部のカム従動孔の縦寸法と横寸法を駆動カム突起の直径より大きく形成し、ケース本体の背面壁部にロック爪部の背面部と摺接するカム斜面部をロック溝部の前側位置に形成する。カム従動孔の下辺部を駆動カム突起で押し、ロック爪部をロック溝部から離脱させる。バネ部材の押上げ付勢によって、カム従動孔の縦寸法と駆動カム突起の直径との寸法差分だけ、ロック爪部がガイド溝孔から上方に突出する。【選択図】図８
2011038280.tif 000002
【特許請求の範囲】
【請求項１】
扉に固着されるケース本体の縦長の正面凹部に操作ハンドルが収容され、ケース本体の上端背面側の軸受筒部に施錠軸が収容され、当該施錠軸の前端ボス部と前記操作ハンドルの頭部が水平枢軸によって連結され、前記操作ハンドルが当該水平枢軸を中心に前記正面凹部から引き出し回転させられ、当該引き出し回転後に前記操作ハンドルを前記施錠軸の周りに回転させることによって、前記施錠軸に固着した止め金板が固定枠体側の受金部から離脱して、当該固定枠体に対する前記扉の施錠を解除するようにした扉用ロックハンドル装置において、
前記操作ハンドルの下端部に錠前埋設部を前後方向に形成し、当該錠前埋設部の後端部に直交させてガイド溝孔を上下方向に形成し、当該ガイド溝孔に板状のラッチ体を上下方向に摺動可能に挿入し、当該ラッチ体の上端部に前記ケース本体の背面壁部のロック溝部に係脱するロック爪部を形成し、前記ラッチ体の下端部にラッチ体の押上げ付勢用バネ部材のバネ支持部を形成し、前記ラッチ体の中間部に矩形状のカム従動孔を形成し、前記錠前埋設部に錠前ユニットを埋設固定し、当該錠前ユニットのロータの後端部に回転中心より偏心させて形成した駆動カム突起をラッチ体の前記カム従動孔に挿入し、
前記カム従動孔の縦寸法と横寸法のいずれをも前記駆動カム突起の直径より大きく形成し、前記ケース本体の背面壁部にラッチ体の前記ロック爪部の背面部と摺接するカム斜面部を前記ロック溝部の前側位置に形成し、
前記ロータの鍵孔に挿入した鍵で前記ロータを回転させることによって、前記カム従動孔の下辺部を前記駆動カム突起の側面部で押すことによって、前記ラッチ体を前記ガイド溝孔に後退させ、ラッチ体の前記ロック爪部をケース本体の前記ロック溝部から離脱させる一方、前記鍵による前記ロータの回転を止めたとき、前記バネ部材の押上げ付勢によって、前記カム従動孔の縦寸法と前記駆動カム突起の直径との寸法差分だけ、ラッチ体の前記ロック爪部が前記ガイド溝孔から突出するようになっており、前記操作ハンドルをケース本体の前記正面凹部に押し入れるとき、前記ロック爪部の背面部がケース本体側の前記カム斜面部に押されることによって、前記バネ部材の押上げ付勢に抗して、前記ラッチ体が前記ガイド溝孔に押し込まれようにした扉用ロックハンドル装置。
【請求項２】
扉に固着されるケース本体の縦長の正面凹部に操作ハンドルが収容され、ケース本体の上端背面側の軸受筒部に施錠軸が収容され、当該施錠軸の前端ボス部と前記操作ハンドルの頭部が水平枢軸によって連結され、前記操作ハンドルが当該水平枢軸を中心に前記正面凹部から引き出し回転させられ、当該引き出し回転後に前記操作ハンドルを前記施錠軸の周りに回転させることによって、前記施錠軸に固着した止め金板が固定枠体側の受金部から離脱して、当該固定枠体に対する前記扉の施錠を解除するようにした扉用ロックハンドル装置において、
前記操作ハンドルの縦方向寸法をケース本体の前記正面凹部の縦方向寸法よりも短く設定し、両者の縦方向寸法の寸法差によって、前記操作ハンドルの没入状態において前記正面凹部の下端部に指先挿入部を形成し、前記操作ハンドルの下端部に当該指先挿入部の上辺を区画する指先掛け部を形成し、
前記操作ハンドルの下端部に錠前埋設部を前後方向に形成し、当該錠前埋設部の後端部に直交させてガイド溝孔を上下方向に形成し、当該ガイド溝孔に板状のラッチ体を上下方向に摺動可能に挿入し、当該ラッチ体の上端部に前記ケース本体の背面壁部のロック溝部に係脱するロック爪部を形成し、前記ラッチ体の下端部にラッチ体の押上げ付勢用バネ部材のバネ支持部を形成し、前記ラッチ体の中間部に矩形状のカム従動孔を形成し、前記錠前埋設部に錠前ユニットを埋設固定し、当該錠前ユニットのロータの後端部に回転中心より偏心させて形成した駆動カム突起をラッチ体の前記カム従動孔に挿入し、
前記カム従動孔の縦寸法と横寸法のいずれをも前記駆動カム突起の直径より大きく形成し、前記ケース本体の背面壁部にラッチ体の前記ロック爪部の背面部と摺接するカム斜面部を前記ロック溝部の前側位置に形成し、
前記ロータの鍵孔に挿入した鍵で前記ロータを回転させることによって、前記カム従動孔の下辺部を前記駆動カム突起の側面部で押すことによって、前記ラッチ体を前記ガイド溝孔に後退させ、ラッチ体の前記ロック爪部をケース本体の前記ロック溝部から離脱させる一方、前記鍵による前記ロータの回転を止めたとき、前記バネ部材の押上げ付勢によって、前記カム従動孔の縦寸法と前記駆動カム突起の直径との寸法差分だけ、ラッチ体の前記ロック爪部が前記ガイド溝孔から突出するようになっており、前記操作ハンドルをケース本体の前記正面凹部に押し入れるとき、前記ロック爪部の背面部がケース本体側の前記カム斜面部に押されることによって、前記バネ部材の押上げ付勢に抗して、前記ラッチ体が前記ガイド溝孔に押し込まれようにした扉用ロックハンドル装置。
【発明の詳細な説明】
【技術分野】
【０００１】
本発明は、操作ハンドルをケース本体に没入した状態において、扉が固定枠体に対して施錠されている扉用ロックハンドル装置に関する。
【背景技術】
【０００２】
扉を閉鎖施錠した後、操作ハンドルをケース本体の正面凹部の所定位置に押し込むという単一動作によって、操作ハンドルがケース本体に対して自動的にロックされる、所謂オートロック機能を有する扉用ロックハンドル装置は、既に存在している（特許文献１参照）。
【０００３】
特許文献１の扉用ロックハンドル装置では、ケース本体の一方の端部にラッチ体と錠前ユニットが収容されており、前記ラッチ体はバネによって操作ハンドルの先端部に向かって前進付勢されて、係止爪部が操作ハンドルの係止受部に係脱するものであり、前記錠前ユニットは、ロータが解錠位置にあるときに前記ラッチ体と交差する方向に押込み可能である一方、ロータが施錠位置にあるときには押込み不可能であり、押込み時に前記係止爪部と前記係止受部の係合を解除する方向に前記ラッチ体を後退駆動させるものである。
【０００４】
そして、前記ラッチ体に設けた溝孔の基端部側内壁面にはカム斜面を設けてあり、前記錠前ユニットの後端部には前記溝孔に入り込むように操作部が突設してあり、前記ラッチ体の前記カム斜面に摺接する駆動斜面を前記操作部の先端部に設けてあり、前記ロータの後端部を一対の長辺とこれらの両端に交わる一対の短辺とからなる異形断面に形成し、前記長辺の長さを前記ラッチ体の前記溝孔の開口幅よりも長く設定し、前記短辺の長さを前記溝孔の開口幅以下に設定し、前記錠前ユニットに対して前記ロータが施錠位置にあるとき前記長辺が前記溝孔に交差する方向に配置され、前記錠前ユニットに対して前記ロータが解錠位置にあるとき前記長辺が前記溝孔に整列する方向に配置されるものである。
【０００５】
この従来例のオートロック機能を有する扉用ロックハンドル装置では、錠前ユニットがケース本体側に埋設されているため、ケース本体の全体長さが長くなり、機器の扉前面における占有面積が徒に拡大してしまう難点がある。
また、錠前ユニットがラッチ体操作用の押しボタンを構成している従来例の扉用ロックハンドル装置では、オートロック機構部の部品点数が多くて構造が簡略化されていないため、製作コストが嵩むものであった。
【先行技術文献】
【特許文献】
【０００６】
【特許文献１】特許第２８８３５６０号公報
【発明の概要】
【発明が解決しようとする課題】
【０００７】
本発明の課題は、オートロック機構部を操作ハンドルそれ自体の下端部に設けてあるため、装置全体の小型化が容易に行える扉用ロックハンドル装置を提供することである。
また、本発明の課題は、オートロック機構部の部品点数を減らし、簡略構造とすることによって装置全体の製作コストを節減できる扉用ロックハンドル装置を提供することである。
さらにまた、本発明の課題は、オートロック機構の解除と操作ハンドルの引き出しという一連の操作を、錠前ユニットのタンブラ及び鍵山に負担を与えることなく、片手の指先で簡単かつ的確に行えるという、操作上の利便性を備えた扉用ロックハンドル装置を提供することである。
【課題を解決するための手段】
【０００８】
請求項１に係る発明の特徴は、扉に固着されるケース本体の縦長の正面凹部に操作ハンドルが収容され、ケース本体の上端背面側の軸受筒部に施錠軸が収容され、当該施錠軸の前端ボス部と前記操作ハンドルの頭部が水平枢軸によって連結され、前記操作ハンドルが当該水平枢軸を中心に前記正面凹部から引き出し回転させられ、当該引き出し回転後に前記操作ハンドルを前記施錠軸の周りに回転させることによって、前記施錠軸に固着した止め金板が固定枠体側の受金部から離脱して、当該固定枠体に対する前記扉の施錠を解除するようにした扉用ロックハンドル装置において、
前記操作ハンドルの下端部に錠前埋設部を前後方向に形成し、当該錠前埋設部の後端部に直交させてガイド溝孔を上下方向に形成し、当該ガイド溝孔に板状のラッチ体を上下方向に摺動可能に挿入し、当該ラッチ体の上端部に前記ケース本体の背面壁部のロック溝部に係脱するロック爪部を形成し、前記ラッチ体の下端部にラッチ体の押上げ付勢用バネ部材のバネ支持部を形成し、前記ラッチ体の中間部に矩形状のカム従動孔を形成し、前記錠前埋設部に錠前ユニットを埋設固定し、当該錠前ユニットのロータの後端部に回転中心より偏心させて形成した駆動カム突起をラッチ体の前記カム従動孔に挿入し、
前記カム従動孔の縦寸法と横寸法のいずれをも前記駆動突起の直径より大きく形成し、前記ケース本体の背面壁部にラッチ体の前記ロック爪部の背面部と摺接するカム斜面部を前記ロック溝部の前側位置に形成し、
前記ロータの鍵孔に挿入した鍵で前記ロータを回転させることによって、前記カム従動孔の下辺部を前記駆動カム突起の側面部で押すことによって、前記ラッチ体を前記ガイド溝孔に後退させ、ラッチ体の前記ロック爪部をケース本体の前記ロック溝部から離脱させる一方、前記鍵による前記ロータの回転を止めたとき、前記バネ部材の押上げ付勢によって、前記カム従動孔の縦寸法と前記駆動カム突起の直径との寸法差分だけ、ラッチ体の前記ロック爪部が前記ガイド溝孔から突出するようになっており、前記操作ハンドルをケース本体の前記正面凹部に押し入れるとき、前記ロック爪部の背面部がケース本体側の前記カム斜面部に押されることによって、前記バネ部材の押上げ付勢に抗して、前記ラッチ体が前記ガイド溝孔に押し込まれることである。
【０００９】
請求項２に係る発明の特徴は、請求項１の発明の前記特徴に加えて、前記操作ハンドルの縦方向寸法をケース本体の前記正面凹部の縦方向寸法よりも短く設定し、両者の縦方向寸法の寸法差によって、前記操作ハンドルの没入状態において前記正面凹部の下端部に指先挿入部を形成し、前記操作ハンドルの下端部に当該指先挿入部の上辺を区画する指先掛け部を形成したことである。
【発明の効果】
【００１０】
請求項１に係る発明では、扉が閉鎖されて止め金板が受金部に係合している扉施錠状態においては、操作ハンドルはケース本体の正面凹部に押し込まれており、ラッチ体のロック爪部がケース本体側のロック溝部に係合することによって、操作ハンドルは没入位置に保持されている。ラッチ体とロック溝との係合状態は、操作ハンドルのガイド溝孔に収容されたバネ部材の押上げ付勢によって維持されている。
【００１１】
ロータの鍵孔に挿入した鍵を回し、カム従動孔の下辺部を駆動カム突起の側面部で押すことによって、ラッチ体がガイド溝孔内に引き戻され、ラッチ体のロック爪部がケース本体のロック溝部から離脱することによって、ケース本体に対する操作ハンドルのロックが解除される。
鍵を当初の回転位置に保持したまま、水平枢軸を中心に操作ハンドルをケース本体の正面側に斜めに引き出す。そして、鍵をロータの鍵孔から抜き取ると、バネ部材の押上げ付勢によってラッチ体が押上げられ、ロック爪部がガイド溝孔から突出する。この後、操作ハンドルを施錠軸周りに回転させることによって、止め金板と受金部との係合が解かれ、固定枠体に対する扉の施錠が解除される。
【００１２】
扉を開放して所要の作業を終了した後、扉を再び閉鎖し、操作ハンドルを施錠軸周りに逆回転させて、止め金板を受金部に係合させることにより、扉が固定枠体に対して再び施錠される。
この後、水平枢軸を中心にして操作ハンドルをケース本体の正面凹部に押し込み回転させると、押し込み回転の終端領域において、ラッチ体のロック爪部の背面部がケース本体の背面壁部のカム斜面部に当接する。当接後、さらに操作ハンドルが押し込まれると、ラッチ体がカム斜面部によって押し下げられ、ロック爪部がガイド溝孔に入り込む。操作ハンドルがケース本体の正面凹部に正しく押し込まれて、ガイド溝孔とロック溝部が対面した瞬間に、ラッチ体はバネ部材の押上げ付勢によって上方に移動し、ロック爪部がロック溝部に再び係合する。
【００１３】
このように請求項１に係る発明の扉用ロックハンドル装置は、操作ハンドルをケース本体に押し込むという単一動作によって操作ハンドルがケース本体にロックされるというオートロック機能を有するものであるが、このオートロック機構部は、操作ハンドルの下端部に埋設された錠前ユニットと、操作ハンドルのガイド溝孔に挿入された板状のラッチ体と、ケース本体の背面壁部のロック溝部と、ガイド溝孔の底部とラッチ体のバネ支持部との間に挿入されたバネ部材と、錠前ユニットのロータの後端部に偏心させて形成された駆動カム突起と、ケース本体の背面壁部のカム斜面部とによって構成されており、駆動カム突起が挿入されるラッチ体の中間部の従動カム孔を、縦寸法と横寸法のいずれもが駆動突起の直径より大きい矩形状に形成したものであるから、オートロック機構部の部品点数は極限まで節減され、簡略化された構造になっているため、装置全体の製作コストを低減させることができる。
また、オートロック機構部の主要部は操作ハンドルそれ自体の下端部に内蔵されているため、ケース本体の長さを短縮して装置全体を小型化することができる。
【００１４】
請求項２に係る発明では、請求項１の発明の上記効果に加えて、操作ハンドルの縦方向寸法をケース本体の正面凹部の縦方向寸法よりも短く設定し、両者の縦方向寸法の寸法差によって、操作ハンドルの没入状態において正面凹部の下端部に指先挿入部を形成し、操作ハンドルの下端部に指先挿入部の上辺を区画する指先掛け部を錠前ユニット埋設部に近接して形成してあるから、鍵を摘んだ指と同じ手の別の指を前記指先挿入部に挿入し、その指先を前記指先掛け部に掛けることによって、操作ハンドルを片方の手のみによってケース本体から引き出せるという操作上の利便性がある。
錠前ユニット埋設部に近接して操作ハンドルに指先掛け部がないときには、鍵をロック解除位置に回したまま手前に引き、錠前ユニットのロータに装填されているディスクタンブラやピンタンブラと鍵山との引掛りを利用して、操作ハンドルを引き出し回転させなければならないが、このような鍵の使い方は、前記タンブラと鍵山との引掛かり部に無理な負担を与えて、それらの磨耗損傷を招き易い。
本発明では、鍵をロック解除位置に保持したまま、錠前ユニットに近接した位置にある指先掛け部に指先を引っ掛けて、操作ハンドルを引き出し回転させるのであるから、前記タンブラの鍵山との接触部や鍵山自体に無理な負担を与えることがない。
【図面の簡単な説明】
【００１５】
【図１】図１は本発明の一実施例に係る引き出し回転操作型扉用ロックハンドル装置である。
【図２】図２は図１の扉用ロックハンドル装置の背面図である。
【図３】図３は図１の扉用ロックハンドル装置の左側面図である。
【図４】図４は図１の扉用ロックハンドル装置の右側面図である。
【図５】図５は図１の扉用ロックハンドル装置の平面図である。
【図６】図６は図１の扉用ロックハンドル装置の底面図である。
【図７】図７は図１のＡ−Ａ線断面図である。
【図８】図８は図１の扉用ロックハンドル装置におけるオートロック機構部の拡大説明図である。
【実施例】
【００１６】
図示の実施例では、機器格納ボックス本体などの固定枠体１の正面開口部２を開閉する扉３は、図５の右側において図示しないヒンジによって固定枠体１に装着されている。ケース本体４の固着用開口５は扉３の左側端部に形成されている。扉３の正面側から固着用開口５に嵌め込まれたケース本体４は、外周フランジ部６を扉３の正面に当接されている。ケース本体４の背面側からは断面Ｕ字形の座金体７が被せられ、座金体７の受孔８に通した２本のタッピングビス４６をケース本体４の背面壁部９にねじ込むことによって、座金体７がパッキング１０を介して扉３の背面に締め付けされている。
【００１７】
このようにして扉３に固着されたケース本体４の縦長の正面凹部１１には、操作ハンドル１２が出没可能に収容され、ケース本体４の上端背面側の軸受筒部１３には、施錠軸１４が収容されている。施錠軸１４の外周溝部１６には、Ｏ−リング４７が収容されている。施錠軸１４の前端ボス部１５には、操作ハンドル１２の頭部１６が水平枢軸１７によって連結され、操作ハンドル１２は水平枢軸１７を中心に正面凹部１１から引き出し回転させられる。ケース本体４から斜めに突出した操作ハンドル１２を施錠軸１４の周りに回転させることによって、止め金板１８が固定枠体側の受金部１９から離脱し、固定枠体１に対する扉３の施錠が解除される。
【００１８】
止め金板１８は施錠軸１４の後端角軸部２０に嵌められ、回転角度規制盤２１と座金２２を介してボルト２３によって施錠軸１４に固着されている。操作ハンドル１２の頭部１６の背面には、互いに逆傾斜の斜面２４，２５が形成されており、斜面２４，２５を縦断する割り溝部２６に施錠軸１４の前端ボス部１５が挿入されている。前端ボス部１５の根元部分にはバネ板２７が嵌め合わされており、バネ板２７は操作ハンドル１２の頭部１６によって圧縮されている。詳細に言えば、頭部１６の前記二つの斜面２４，２５の会合稜線は点Pにおいてバネ板２７の前面に圧接しており、操作ハンドル１２がケース本体４の正面凹部１１に正しく没入しているときには、前記圧接点Pは、施錠軸１４の中心軸線Ｌの上位側に位置している。そのため、バネ板２７の弾性反発力は、図７において水平枢軸１７を中心に反時計回り方向に働いており、操作ハンドル１２は当該没入状態に堅持されている。
【００１９】
操作ハンドル１２の縦方向寸法はケース本体４の正面凹部１１の縦方向寸法よりも短く設定されており、この両者間の縦方向寸法差によって、操作ハンドル１２の没入状態において、正面凹部１１の下端部に指先挿入部２８が形成される。操作ハンドル１２の下端部には、指先挿入部２８の上辺を区画する指先掛け部２９が形成されている。
操作ハンドル１２の下端部には、錠前埋設部３０が前後方向に形成されており、錠前埋設部３０の後端部に直交させてガイド溝孔３１が上下方向に形成されている。板状のラッチ体３２はガイド溝孔３１に上下方向に摺動可能に挿入されている。ラッチ体３２の上端部には、ケース本体１の背面壁部９に設けたロック溝部３３に係脱するロック爪部３４を形成してある。ラッチ体３２の下端部には、ラッチ体３２を押上げ付勢するバネ部材３５のバネ支持部３６を形成してある。ラッチ体３２中間部には、矩形状のカム従動孔３７を形成してある。錠前埋設部３０に埋設固定した錠前ユニット３８は、公知のシリンダー錠タイプのものであり、錠前ユニット３８のロータ３９の後端部には、回転中心より偏心させて駆動カム突起４０を形成してある。
【００２０】
駆動カム突起４０が挿入されるラッチ体３２のカム従動孔３７の縦寸法と横寸法は、いずれも駆動カム突起４０の直径より大きく設定されている。ケース本体４の背面壁部９には、ラッチ体３２のロック爪部３４の背面部４１と摺接するカム斜面部４２をロック溝部３３の前側位置に形成してある。
ロータ３９の鍵孔４３に挿入した鍵４４によってロータ３９を所定方向に所定角度（本実施例では１４０度）回転させると、カム従動孔３７の下辺部４５が駆動カム突起４０の側面部によって押されることによって、ラッチ体３２がガイド溝孔３１内に後退させられ、ラッチ体３２のロック爪部３４がケース本体４のロック溝部３３から離脱させられる。
このようにしてケース本体４に対する操作ハンドル１２のロックを解除した後、鍵４４を摘み持っている親指と人差し指以外の同じ手の指たとえば薬指４５を前記指先挿入部２８に差込み、その指先を前記指先掛け部２９に掛けて操作ハンドル１２をケース本体４から引出し回転させる。操作ハンドル１２の頭部１６の二つの斜面２４，２５の会合稜線とバネ板２７との圧接点Pが、施錠軸１４の中心軸線Ｌを下側に越えた瞬間にバネ板２７の弾性反発力の作用方向は反転し、操作ハンドル１２はバネ板２７に助勢されてケース本体４から突出回転させられる。
鍵４４の回転操作と操作ハンドル１２の引出し操作を同じ片方の手の指によって行えるため、操作上の利便性がある。
【００２１】
鍵４４によるロータ３９の回転を止めたとき、圧縮コイルバネよりなるバネ部材３５の押上げ付勢によって、カム従動孔３７の縦寸法と駆動カム突起４０の直径との寸法差分だけ、ラッチ体３２のロック爪部３４がガイド溝孔３１から上方突出することになる。この段階では、操作ハンドル１２は斜めに突出した状態にあるため、ロック爪部３４とガイド溝孔３１の予期しない再係合という誤作動は起こりえない。
扉３を開放して所要の作業を終了した後、扉３を再び閉鎖し、操作ハンドル１２を施錠軸１４周りに逆回転させて、止め金板１８を受金部１９に係合させることにより、扉３が固定枠体１に対して再び施錠される。
【００２２】
この後、水平枢軸１７を中心にして操作ハンドル１２をケース本体４の正面凹部１１に押し込み回転させると、押し込み回転の終端領域において、ラッチ体３１のロック爪部３４の背面部４１がケース本体４の背面壁部９のカム斜面部４２に当接する。この当接後、さらに操作ハンドル１２が押し込まれると、ラッチ体３２がカム斜面部４２によって押し下げられ、ロック爪部３４がガイド溝孔３１に入り込む。操作ハンドル１２がケース本体４の正面凹部１１に正しく押し込まれて、ロック溝部３３とガイド溝孔３１が上下に対面した瞬間に、ラッチ体３２はバネ部材３５の押上げ付勢によって上方に移動し、ロック爪部３４がロック溝部３３に再び係合する。すなわち、操作ハンドル１２とケース本体４とのロックが自動的に成立する。
ラッチ体３２のロック爪部３４の背面部４１は湾曲面に形成してある。本実施例では錠前ユニット３８として、ロータ３９にディスクタンブラ４８を装填した公知のディスクタンブラ方式のシリンダー錠を使用したが、錠前ユニットとしては、公知のピンタンブラ方式のシリンダー錠も使用することができる。
【符号の説明】
【００２３】
１  固定枠体
２  固定枠体の正面開口部
３  扉
４  ケース本体
５  ケース本体の固着用開口
６  ケース本体の外周フランジ部
７  座金体
８  座金体の受孔
９  ケース本体の背面壁部
１０  パッキング
１１  ケース本体の正面凹部
１２  操作ハンドル
１３  ケース本体の軸受筒部
１４  施錠軸
１５  施錠軸の前端ボス部
１６  施錠軸の外周溝部
１７  水平枢軸
１８  止め金板
１９  固定枠体側の受金部
２０  施錠軸の後端角軸部
２１  回転角度規制盤
２２  座金
２３  ボルト
２４  操作ハンドルの頭部の斜面
２５  操作ハンドルの頭部の斜面
Ｐ  斜面同士の会合稜線
Ｌ  施錠軸の中心軸線
２６  操作ハンドルの割り溝部
２７  バネ板
２８  正面凹部の指先挿入部
２９  操作ハンドルの指先掛け部
３０  操作ハンドルの錠前埋設部
３１  操作ハンドルのガイド溝孔
３２  ラッチ体
３３  ケース本体のロック溝部
３４  ラッチ体のロック爪部
３５  バネ部材
３６  ラッチ体のバネ支持部
３７  ラッチ体のカム従動孔
３８  錠前ユニット
３９  錠前ユニットのロータ
４０  駆動カム突起
４１  ロック爪部の背面部
４２  ケース本体側のカム斜面部
４３  ロータの鍵孔
４４  鍵
４５  薬指
４６  タッピングビス
４７  Ｏ−リング
４８  錠前ユニットのディスクタンブラ
【図１】
2011038280.tif 000003
【図２】
2011038280.tif 000004
【図３】
2011038280.tif 000005
【図４】
2011038280.tif 000006
【図５】
2011038280.tif 000007
【図６】
2011038280.tif 000008
【図７】
2011038280.tif 000009
【図８】
2011038280.tif 000010